(57)【要約】【課題】従来の放送受信装置は、各放送局が個別に、自局のＥＰＧデータを送出する形態においては、ＥＰＧデータの更新に時間を要していた。【解決手段】この発明の放送受信装置は、受信された放送局のデジタル放送から放送局個別の番組情報を取得する番組情報取得手段と、番組情報取得手段で取得された放送局個別の番組情報を記憶する番組情報記憶手段と、番組情報記憶手段に記憶された複数放送局の番組情報に基づいて番組表を作成する番組表作成手段と、番組表の表示指示を受け、これに連動して番組表作成手段で作成された番組表を表示するための番組表表示手段を備え、番組表は番組表の表示指示を受けた時に受信していた放送局の番組情報の表示が最上位となるレイヤー構造であるように構成している。【選択図】　図３
2004088282.tif 000002
【特許請求の範囲】
【請求項１】
各放送局からその放送局に係る番組情報が個別に付与されて送信されるデジタル放送を受信するデジタル放送受信手段と、
前記デジタル放送受信手段で受信された放送局のデジタル放送から前記放送局個別の番組情報を取得する番組情報取得手段と、
前記番組情報取得手段で取得された前記放送局個別の番組情報を記憶する番組情報記憶手段と、
前記番組情報記憶手段に記憶された複数放送局の番組情報に基づいて番組表を作成する番組表作成手段と、
番組表の表示指示を受信する表示指示受信手段と、
前記表示指示受信手段で受信した番組表の表示指示に基づいて、番組表の表示指示を受けた際に受信していた放送局の番組情報が最上位となるように前記番組表作成手段で作成された番組表を出力する番組表出力手段を備えることを特徴とするデジタル放送受信装置。
【請求項２】
各放送局からその放送局に係る番組情報が個別に付与されて送信されるデジタル放送を受信するデジタル放送受信手段と、
前記デジタル放送受信手段で受信された放送局のデジタル放送から前記放送局個別の番組情報を取得する番組情報取得手段と、
前記番組情報取得手段で取得された前記放送局個別の番組情報を記憶する番組情報記憶手段と、
前記番組情報記憶手段に記憶された複数放送局の番組情報に基づいて番組表を作成する番組表作成手段と、
番組表の表示指示を受信する表示指示受信手段と、
前記レイヤー構造の番組表表示にことを特徴とするデジタル放送受信装置。
前記表示指示受信手段で受信した番組表の表示指示に基づいて、番組表の表示指示を受けた際に受信していた放送局の番組情報が最上位となるように前記番組表作成手段で作成された番組表を出力する番組表出力手段と、
前記番組表の出力に連動して前記受信していた放送局とは異なるデジタル放送を受信して番組情報を取得し、前記番組情報記憶手段に記憶されている番組情報を更新記憶する番組情報更新記憶手段とを備えることを特徴とするデジタル放送受信装置。
【請求項３】
各放送局からその放送局に係る番組情報が個別に付与されて送信されるデジタル放送を受信する第１のデジタル放送受信手段と、
前記デジタル放送受信手段で受信された放送局のデジタル放送から前記放送局個別の番組情報を取得する番組情報取得手段と、
前記番組情報取得手段で取得された前記放送局個別の番組情報を記憶する番組情報記憶手段と、
前記番組情報記憶手段に記憶された複数放送局の番組情報に基づいて番組表を作成する番組表作成手段と、
番組表の表示指示を受信する表示指示受信手段と、
前記表示指示受信手段で受信した番組表の表示指示に基づいて、番組表の表示指示を受けた際に受信していた放送局の番組情報が最上位となるように前記番組表作成手段で作成された番組表を出力する番組表出力手段と
前記番組表の出力に連動して前記受信していた放送局とは異なる放送局から送信されるデジタル放送を受信して番組情報を取得する第２のデジタル放送受信手段とを備えることを特徴とするデジタル放送受信装置。
【請求項４】
前記番組表作成手段は番組情報記憶手段に記憶されている番組情報に基づいて各放送局の番組情報を時間軸と放送局の２次元に並べて表示する２次元の番組表および前記番組表を作成し、前記デジタル放送受信装置は複数種類の番組表表示から番組表を選択する番組表選択手段を備えることを特徴とする請求項１乃至３に記載のデジタル放送受信装置。
【請求項５】
前記デジタル放送受信手段および前記番組情報取得手段、前記番組情報記憶手段を所定の時間だけ通電し、消費電力を低減することを特徴とする請求項１乃至４に記載のデジタル放送受信装置。
【請求項６】
各放送局からその放送局に係る番組情報が個別に付与されて送信されるデジタル放送を受信するデジタル放送受信ステップと、
前記受信された放送局のデジタル放送から前記放送局個別の番組情報を取得する番組情報取得ステップと、
前記取得された前記放送局個別の番組情報を記憶する番組情報記憶ステップと、
前記記憶された複数放送局の番組情報に基づいて番組表を作成する番組表作成ステップと、
番組表の表示指示を受信する表示指示受信ステップと、
前記受信した番組表の表示指示に基づいて、番組表の表示指示を受けた際に受信していた放送局の番組情報が最上位となるように前記番組表作成手段で作成された番組表を出力する番組表出力ステップを備えることを特徴とするデジタル放送受信方法。
【請求項７】
各放送局からその放送局に係る番組情報が個別に付与されて送信されるデジタル放送を受信するデジタル放送受信ステップと、
前記受信された放送局のデジタル放送から前記放送局個別の番組情報を取得する番組情報取得ステップと、
前記取得された前記放送局個別の番組情報を記憶する番組情報記憶ステップと、
前記記憶された複数放送局の番組情報に基づいて番組表を作成する番組表作成ステップと、
番組表の表示指示を受信する表示指示受信ステップと、
前記受信した番組表の表示指示に基づいて、番組表の表示指示を受けた際に受信していた放送局の番組情報が最上位となるように前記番組表作成手段で作成された番組表を出力する番組表出力ステップと、
前記番組表出力に連動して前記受信していた放送局とは異なる放送局から送信されるデジタル放送を受信し、前記異なる放送局の番組情報を取得し、更新記憶するステップを備えることを特徴とするデジタル放送受信方法。
【請求項８】
前記番組表作成ステップにおいて、番組情報記憶ステップに記憶されている番組情報に基づいて各放送局の番組情報を時間軸と放送局の２次元に並べて表示する２次元の番組表および前記レイヤー構造の番組表を作成し、前記デジタル放送受信方法はさらに複数種類の番組表表示から番組表を選択する番組表選択ステップを備えることを特徴とする請求項６または７に記載のデジタル放送受信方法。
【請求項９】
前記デジタル放送受信ステップおよび前記番組情報取得ステップ、前記番組情報記憶ステップは所定の時間だけ通電され、消費電力が低減されることを特徴とする請求項６乃至８に記載のデジタル放送受信方法。
【発明の詳細な説明】
【０００１】
【発明の属する技術分野】
この発明は、デジタル放送を受信するデジタル放送受信装置に係り、特に電子番組ガイドの表示に関する。
【０００２】
【従来の技術】
近年、我が国においては、ＢＳデジタル放送やＣＳデジタル放送の普及に伴い、ＥＰＧ（Ｅｌｅｃｔｒｉｃａｌ　Ｐｒｏｇｒａｍ　Ｇｕｉｄｅ：電子番組ガイド）表示機能を搭載した受信装置が一般的となってきている。
【０００３】
ＢＳデジタル放送では、ＥＰＧデータは、各放送事業者がＳＩ（Ｓｅｒｖｉｃｅ　Ｉｎｆｏｒｍａｔｉｏｎ）情報として送出する番組情報がＳＩ集配センターに収集され、ＢＳデジタル放送を放送する全ての放送局のチャンネル情報、番組情報がまとめられ、これらが全てのチャンネルに配信されている。これにより、ＢＳデジタル放送においては、放送されているどのチャンネルを受信している時でも、全ての放送局のチャンネル情報、番組情報等のＥＰＧデータを受信することができるようになっている。ＢＳデジタル放送受信装置は、このＥＰＧデータを受信し、電子番組表を作成して表示を行う。
【０００４】
また、ＣＳデジタル放送では、プラットフォーム事業者がＳＩ情報を一括管理しており、あるトランスポンダで全ての番組ガイド情報が送信されている。これにより、ＣＳデジタル放送においては、そのトランスポンダを受信することで、ＣＳデジタル放送全ての番組ガイド情報（ＥＰＧデータ）を取得することができるようになっている。同様に、ＣＳデジタル放送受信装置は、このＥＰＧデータを受信し、電子番組表を作成して表示を行う。
【０００５】
しかしながら、２００３年に放送開始が予定されている地上波デジタルにおいては、様々な理由から、ＢＳデジタル放送やＣＳデジタル放送のような一元管理の形態での全放送局のＳＩ情報（ＥＰＧ情報）の送出は行われず、各放送局が個別に、自局の番組情報を送出する形態となると予想されている。
【０００６】
このため、地上波デジタル放送の電子番組表を作成する為には、サービスを受けている全ての放送局のチャンネルを、デジタル放送受信装置においてそれぞれ個別に受信し、ＥＰＧ情報を収集する必要があった。このため、電子番組表を表示するための番組ガイド（ＥＰＧデータ）が必ずしも最新の情報ではないといった問題があった。また、ＥＰＧデータの更新に時間を要すると、番組表の表示にも時間を要する等の問題があり、改善が望まれていた。
【０００７】
このような要望に答える放送受信装置としては、例えば、特開２００１−１９７３９４号公報に開示されている。
【０００８】
この公報で開示されている受信機は、複数の放送サービスを受信可能な受信機において、それぞれの放送サービスの番組ガイドを常に最新に更新されたものをそれぞれ表示可能とすることを目的とし、複数の放送サービス（入力信号）から、視聴者が映像／音声の視聴を選択する入力信号（放送サービス）を復調して視聴する一方、映像／音声の視聴を選択しない入力信号（放送サービス）を付加データ分離部に供給する。
【０００９】
そして、番組に関する情報を含む付加データを分離し、分離された番組に関する情報から、各々の放送サービスの番組ガイド画面を生成する。この付加データの取得は、常時取得データが変化していないかを監視し、変化した場合に取得するものである。
【００１０】
【発明が解決しようとする課題】
上記公報に開示されている受信機は、各々の放送サービスの番組ガイドを常に最新に更新されたものをそれぞれ表示可能とすることを目的としたものであり、上記説明したように、ＢＳデジタル放送やＣＳデジタル放送のような一元管理の形態での全放送局のＳＩ情報（ＥＰＧ情報）の送出が行われている場合は有効であった。
【００１１】
しかし、各放送局が個別に、自局のＥＰＧデータ（番組情報）を送出する形態においては、依然としてＥＰＧデータの更新に時間を要していた。このため、番組表の表示に時間を要するという問題があった。また、更新されるまでの間は、ＥＰＧデータが必ずしも最新の情報ではないといった問題があった。
【００１２】
【課題を解決するための手段】
この発明に係るデジタル放送受信装置は、各放送局からその放送局に係る番組情報が個別に付与されて送信されるデジタル放送を受信するデジタル放送受信手段と、前記デジタル放送受信手段で受信された放送局のデジタル放送から前記放送局個別の番組情報を取得する番組情報取得手段と、前記番組情報取得手段で取得された前記放送局個別の番組情報を記憶する番組情報記憶手段と、　前記番組情報記憶手段に記憶された複数放送局の番組情報に基づいて番組表を作成する番組表作成手段と、番組表の表示指示を受信する表示指示受信手段と、　前記表示指示受信手段で受信した番組表の表示指示に基づいて、番組表の表示指示を受けた際に受信していた放送局の番組情報が最上位となるように前記番組表作成手段で作成された番組表を出力する番組表出力手段を備えるように構成している。
【００１３】
また、この発明に係るデジタル放送受信方法は、各放送局からその放送局に係る番組情報が個別に付与されて送信されるデジタル放送を受信するデジタル放送受信ステップと、前記受信された放送局のデジタル放送から前記放送局個別の番組情報を取得する番組情報取得ステップと、前記取得された前記放送局個別の番組情報を記憶する番組情報記憶ステップと、前記記憶された複数放送局の番組情報に基づいて番組表を作成する番組表作成ステップと、番組表の表示指示を受信する表示指示受信ステップと、前記受信した番組表の表示指示に基づいて、番組表の表示指示を受けた際に受信していた放送局の番組情報が最上位となるように前記番組表作成手段で作成された番組表を出力する番組表出力ステップを備えるように構成している。
【００１４】
【発明の実施の形態】
以下、図面を用いてこの発明に係る実施の形態を説明する。
【００１５】
図１はこの発明の、第１の実施の形態に係るデジタル放送受信装置の構成を示す図である。ここでは地上波デジタル放送を受信するデジタル放送受信装置を例にとり、説明する。
【００１６】
符号１はチューナー、符号３はＯＦＤＭ復調部、符号５はＭＰＥＧ復調部、符号７はＳＩ情報抽出部、符号８はＥＰＧデータ処理及びＥＰＧ情報更新検出などを行うマイコン８、符号９はメモリ、符号１０は番組表作成部、符号１１は映像信号処理部、符号１２はＯＳＤ合成部、符号１３は表示部である。尚、この発明の実施の形態に係るデジタル放送受信装置は表示部１３を備えないＳＴＢ（セットトップボックス）においても適用される。
【００１７】
アンテナで受信された地上波デジタル放送信号がチューナ１へ送信される。また、地上波デジタル放送波はＣＡＴＶ等を経由してチューナ１へ送信されても良い。チューナ１は地上波デジタル放送信号を受信し、各放送局の放送をそれぞれチューニングにより選択して受信する。
チューナー１で受信された放送局のデジタル放送信号は、ＯＦＤＭ復調部３へ入力される。ＯＦＤＭ復調部３では入力されたデジタル放送信号がＯＦＤＭ復調（デコード）されてＭＰＥＧ　ＴＳ（トランスポートストリーム）信号が出力される。ＯＦＤＭ復調部３から出力されたＭＰＥＧ　ＴＳ信号はＭＰＥＧ復調部５へ入力される。
ＭＰＥＧ復調部５ではＭＰＥＧ　ＴＳ信号のＭＰＥＧ復調（デコード）処理が行われ、ＭＰＥＧ復調信号が出力される。ＭＰＥＧ復調部５から出力されたＭＰＥＧ復調信号は映像信号処理部１１へ入力される。
映像信号処理部１１では入力されたＭＰＥＧ復調信号の映像信号処理が行われて映像信号が出力される。映像信号処理部１１から出力された映像信号はＯＳＤ合成部１２へ入力される。ＯＳＤ合成部１２は入力された映像信号を出力する。
ＯＳＤ合成部１２から出力された映像信号は表示部１３へ入力され、表示される。
【００１８】
また、ＯＦＤＭ復調部３から出力されたＭＰＥＧ　ＴＳ信号はＳＩ情報情報抽出部７へ入力される。
【００１９】
上記のように、２００３年に放送開始が予定されている地上波デジタルにおいては、ＢＳデジタル放送やＣＳデジタル放送のような一元管理の形態での全放送局のＳＩ情報（ＥＰＧデータ）の送出は行われず、各放送局が個別に、自局の番組情報を送出する形態となると予想されている。したがって、受信された放送局の放送に付与されて送信されるその放送局のＳＩ情報を、それぞれ抽出する必要がある。
【００２０】
ＳＩ情報情報抽出部７ではＭＰＥＧ　ＴＳ信号から受信された放送局のＳＩ情報が抽出され、出力される。ＳＩ情報情報抽出部７から出力されたＳＩ情報はマイコン８へ入力される。
【００２１】
マイコン８では入力されたＳＩ情報から受信された放送局のＥＰＧデータ（番組情報）を抽出する処理が行なわれる。抽出されたＥＰＧデータはメモリ９へ保存される。既にメモリ９にＥＰＧデータが保存されている場合は、マイコン８によって、保存されているＥＰＧデータとの比較が行なわれる。そして、ＥＰＧデータが更新されているか否かが検出される。更新が検出された場合は、メモリ９に保存されているＥＰＧデータを、最新情報に置き換えて保存する。
【００２２】
図示しないリモコン等の操作により、ユーザーから番組表の表示指示を受けると、マイコン８は、そのときメモリ９に保存されている放送局全てのＥＰＧデータを読み出して番組表作成部１０へ出力する。
【００２３】
番組表作成部１０では、メモリ９から出力されたＥＰＧデータを用いて番組表を作成し信号の形態で出力する。番組表作成部１０から出力された番組表はＯＳＤ合成部１２へ入力される。番組表作成部１０から出力された番組表はＯＳＤ合成部１２へ入力される。ＯＳＤ合成部１２は入力された番組表を出力する。
ＯＳＤ合成部１２から出力された番組表は表示部（モニタ）１３へ入力され、表示される。
【００２４】
また、ＯＳＤ合成部１２では映像信号処理部１１から出力された映像信号と番組表作成部１０から出力された番組表がＯＳＤ（オンスクリーンディスプレイ）合成されて出力されても良い。
【００２５】
図３はこの発明の第１の、実施の形態に係る番組表を示す図である。
【００２６】
この発明の実施の形態においては、番組表は図に示すようにレイヤー構造になっている。そして、各層にはそれぞれの放送局が割り当てられている。
【００２７】
上記のように、ユーザーから番組表の表示指示を受けると、そのとき保存されている各放送局のＥＰＧデータをメモリ９（図１）から読み出し、番組表を作成する。
【００２８】
そして、番組表は、このとき番組表表示指示の直前に受信していた放送局（ここでは○○テレビ１００）の番組情報（番組表）が最上位層に表示されるように配置する。すなわち、○○テレビ１００がチューナ１で受信されている間に、上記のように、○○テレビの最新のＥＰＧ情報が抽出され、メモリ９に保存されているＥＰＧ情報が更新されている。
【００２９】
また、○○テレビ１００が最上位層に表示される番組表が表示される際に、マイコン８の指示によって、チューナー１は○○テレビ１００とは異なる放送局（例えばテレビ△１０１）を選局する。同様に、テレビ△１０１のＥＰＧデータが抽出され、更新されているかどうかが検出され、更新があった場合はメモリ９に保存されているＥＰＧ情報を最新情報への更新処理を行う。続いて、チューナー１は次の放送局×テレビ１０２を選局し、同様に、メモリ９に保存されているＥＰＧ情報の更新処理を行う。この一連の動作を、受信可能な全ての放送局について行い、ＥＰＧ番組情報を最新の情報に順次置き換える処理を行う。
【００３０】
このとき、番組表が表示される際に最上位層に表示される○○テレビ１００の番組情報は最新のＥＰＧ情報であるが、○○テレビ１００とは異なる放送局の番組情報は順次最新の情報に更新される。
【００３１】
上記のように構成することによって、この発明に係る実施の形態は、ユーザーからＥＰＧ電子番組表の表示指示を受けてから、番組表が表示されるまでにかかる時間を低減することができる。また、直前まで受信していた放送局のＥＰＧ番組表をレイヤー構造の第１層に表示するため、第１層については最新情報を表示することができる。また、他の放送局の情報においても、番組表を階層構造にすることで、ユーザーに意識させることなく、順次番組データを更新することができる。
【００３２】
この発明の実施の形態は、上記構成に加え、さらに次のように構成することも可能である。
【００３３】
図４はこの発明の、第１の実施の形態に係る第２の番組表を示す図である。
【００３４】
この第２の番組表は、上記説明したレイヤー構造の番組表（図３）の表示に加え、ユーザーがどちらかを選択できるように上記構成に加えて構成される。すなわち、特に図示しないが、リモコン等で、レイヤー構造の番組表または、第２の番組表のどちらかを選択して表示できるようにしたものである。
【００３５】
第２の番組表は、レイヤー構造の番組表と同様に、ユーザーから番組表の表示指示を受けると、そのとき保存されている各放送局のＥＰＧデータをメモリ９から読み出して作成される。そして、○○テレビ、テレビ△、×テレビ、□テレビの各放送局の番組情報を、時間軸と放送局の２次元に並べて表示する。
【００３６】
特に図示しないが、さらに、第２の番組表とは異なる第３の番組表も作成し、レイヤー構造の番組表または、第２乃至第３の番組表のどちらかを選択して表示できるように構成しても良い。また、レイヤー構造の番組表と第２乃至第３の番組表を並べて表示できるように構成しても良い。
【００３７】
この場合も、番組表表示指示の直前に受信していた放送局のＥＰＧデータは更新されているので、番組表の表示指示を受けると、上記と同様に、順次、直前に受信していた放送局とは異なる放送局を受信し、メモリ９に保存されているＥＰＧデータを更新する。
【００３８】
また、この発明の実施の形態においては、ユーザーがデジタル放送受信装置の電源をスタンバイ状態にした時に、チューナー１、ＯＦＤＭ復調部３、ＳＩ情報抽出部７、マイコン８、メモリ９の電源を、所定の時間ＯＮにして、上記のように、順次全ての放送局を選局し、ＥＰＧ番組データを最新情報に更新するように構成することもできる。このとき、デジタル放送受信装置の上記ＥＰＧデータ更新に関係しない構成は電源をＯＦＦにし、ＥＰＧデータ更新に係る構成だけ動作させることで消費電力を低減することができる。このとき、チューナー１及びＯＦＤＭ復調部３はマイコン８によって制御される。
【００３９】
２００３年に国内で開始される予定の地上デジタル放送は、このＥＰＧ番組表に関して、ＡＲＩＢ（電波産業会）で、毎日午前０時から３０秒間で全ての放送局が、一旦番組表を更新することが規格として決められている。
【００４０】
この発明の実施の形態は、午前０時にテレビがスタンバイ状態になっている時に、チューナー１、ＯＦＤＭ復調部３、ＳＩ情報抽出部７、マイコン８、メモリ９を所定の時間起動し、順次全放送局の最新ＥＰＧデータを収集して、メモリ９に保存されているＥＰＧデータの更新を行う。
【００４１】
このように構成することで、スタンバイ時の消費電力を低減することができる。また、次回デジタル放送受信装置を起動してＥＰＧ番組表を表示した時に、比較的新しい情報を表示することが可能となる。
【００４２】
図５はこの発明の、第１の実施の形態に係るフローチャートである。
【００４３】
符号２０１は所定の放送（○○テレビ）を受信するステップである。続いて符合２０２を付したステップへ進む。
【００４４】
ステップ２０２は受信している放送（放送局）のＥＰＧ情報（ＥＰＧデータ）を取得するステップである。続いて符合２０３を付したステップへ進む。
【００４５】
ステップ２０３はメモリ９に記憶されているＥＰＧ情報（ＥＰＧデータ）を更新するステップである。続いて符合２０４を付したステップへ進む。
【００４６】
ステップ２０４はユーザーから番組表の表示指示を受けるステップである。続いて符合２０５を付したステップへ進む。
【００４７】
ステップ２０５は番組表表示指示の直前に受信していた放送局（○○テレビ）の番組表が最上位層となるようにレイヤー構造の番組表を表示するステップである。続いて符合２０６を付したステップへ進む。
【００４８】
ステップ２０６は受信していた放送局とは別の放送（放送局：テレビ△）を受信して、テレビ△のＥＰＧ情報（ＥＰＧデータ）を抽出し、メモリを更新するステップである。続いて符合２０７を付したステップへ進む。
【００４９】
ステップ２０７は次の放送（放送局：×テレビ）を受信して、×テレビのＥＰＧ情報（ＥＰＧデータ）を抽出し、メモリを更新するステップである。続いて符合２０８を付したステップへ進む。
【００５０】
ステップ２０８は全ての放送局についてＥＰＧ情報（ＥＰＧデータ）を抽出し、メモリを更新するステップである。続いて符合２０９を付したステップへ進む。
【００５１】
ステップ２０９は一連の処理が終了するステップである。
【００５２】
次に、この発明に係る第２の実施の形態を説明する。
【００５３】
図２はこの発明の、第２の実施の形態に係るデジタル放送受信機の構成を示す図である。
【００５４】
この発明の、第２の実施の形態は、チューナを２つ備えた、いわゆるダブルチューナーの放送受信装置である。
【００５５】
図１と同じ構成については同一の符号を付して説明を省略する。
【００５６】
符号２は副チューナー部、符号４は副ＯＦＤＭ復調部、符号６は副ＭＰＥＧ復調部である。尚、上記図１において説明したチューナ部１と副チューナ部２、ＯＦＤＭ復調部３と副ＯＦＤＭ復調部４、ＭＰＥＧ復調部５と副ＭＰＥＧ復調部６は実質的に同じ構成である。
【００５７】
上記と同様に、アンテナで受信された地上波デジタル放送信号が主チューナ１へ送信される。主チューナ１は地上波デジタル放送信号を受信し、各放送局の放送をそれぞれチューニングにより選択して受信する。
主チューナー１で受信された放送局のデジタル放送信号は、主ＯＦＤＭ復調部３へ入力される。主ＯＦＤＭ復調部３では入力されたデジタル放送信号がＯＦＤＭ復調（デコード）されてＭＰＥＧ　ＴＳ（トランスポートストリーム）信号が出力される。主ＯＦＤＭ復調部３から出力されたＭＰＥＧ　ＴＳ信号は主ＭＰＥＧ復調部５へ入力される。
主ＭＰＥＧ復調部５ではＭＰＥＧ　ＴＳ信号のＭＰＥＧ復調（デコード）処理が行われ、ＭＰＥＧ復調信号が出力される。主ＭＰＥＧ復調部５から出力されたＭＰＥＧ復調信号は映像信号処理部１１へ入力される。
映像信号処理部１１では入力されたＭＰＥＧ復調信号の映像信号処理が行われて映像信号が出力される。映像信号処理部１１から出力された映像信号はＯＳＤ合成部１２へ入力される。映像信号処理部１１から出力された映像信号はＯＳＤ合成部１２へ入力される。
【００５８】
また、アンテナで受信された地上波デジタル放送信号が副チューナ２へ送信される。副チューナ２は地上波デジタル放送信号を受信し、各放送局の放送をそれぞれチューニングにより選択して受信する。
副チューナー２で受信された放送局のデジタル放送信号は、副ＯＦＤＭ復調部４へ入力される。副ＯＦＤＭ復調部４では入力されたデジタル放送信号がＯＦＤＭ復調（デコード）されてＭＰＥＧ　ＴＳ（トランスポートストリーム）信号が出力される。副ＯＦＤＭ復調部４から出力されたＭＰＥＧ　ＴＳ信号は副ＭＰＥＧ復調部６へ入力される。
副ＭＰＥＧ復調部５ではＭＰＥＧ　ＴＳ信号のＭＰＥＧ復調（デコード）処理が行われ、ＭＰＥＧ復調信号が出力される。副ＭＰＥＧ復調部５から出力されたＭＰＥＧ復調信号は映像信号処理部１１へ入力される。
映像信号処理部１１では入力されたＭＰＥＧ復調信号の映像信号処理が行われて映像信号が出力される。映像信号処理部１１から出力された映像信号はＯＳＤ合成部１２へ入力される。
ＯＳＤ合成部１２は入力された映像信号を出力する。
ＯＳＤ合成部１２から出力された映像信号は表示部１３へ入力され、表示される。
【００５９】
また、ＯＦＤＭ復調部３から出力されたＭＰＥＧ　ＴＳ信号はＳＩ情報情報抽出部７へ入力される。
【００６０】
ＳＩ情報情報抽出部７ではＭＰＥＧ　ＴＳ信号から受信された放送局のＳＩ情報が抽出され、出力される。ＳＩ情報情報抽出部７から出力されたＳＩ情報はマイコン８へ入力される。
【００６１】
マイコン８では入力されたＳＩ情報から受信された放送局のＥＰＧデータ（番組情報）を抽出する処理が行なわれる。抽出されたＥＰＧデータはメモリ９へ保存される。既にメモリ９にＥＰＧデータが保存されている場合は、マイコン８によって、保存されているＥＰＧデータとの比較が行なわれる。そして、ＥＰＧデータが更新されているか否かが検出される。更新が検出された場合は、メモリ９に保存されているＥＰＧデータを、最新情報に置き換えて保存する。
【００６２】
図示しないリモコン等の操作により、ユーザーから番組表の表示指示を受けると、マイコン８は、そのときメモリ９に保存されている放送局全てのＥＰＧデータを読み出して番組表作成部１０へ出力する。
【００６３】
番組表作成部１０では、メモリ９から出力されたＥＰＧデータを用いて番組表を作成し信号の形態で出力する。番組表作成部１０から出力された番組表はＯＳＤ合成部１２へ入力される。番組表作成部１０から出力された番組表はＯＳＤ合成部１２へ入力される。ＯＳＤ合成部１２は入力された番組表を出力する。
ＯＳＤ合成部１２から出力された番組表は表示部（モニタ）１３へ入力され、表示される。
【００６４】
この発明の実施の形態においては、主チューナー１で放送を受信している時に、副チューナー２を用いて常にＥＰＧ情報を更新することができる。また、デジタル放送受信装置の電源ＯＮ時に、副チューナー２で各放送局のＥＰＧ情報の更新を行うことができる。
【００６５】
また、ダブルチューナーの構成を加えることで、表示画面を２画面分割にして、一方の画面では放送受信された映像を表示し、他方の画面では上記説明した番組表を表示することができる。
【００６６】
【発明の効果】
上記のように構成することで、各放送局から個別に、自局のＥＰＧデータが送出するされる形態においても、ＥＰＧデータの更新を容易にすることができる。
【００６７】
また、番組表の表示時間を低減することができる。
【００６８】
また、レイヤー構造の番組表の最上位層に表示される番組情報を最新のものとすることができる。
【００６９】
また、他の放送局の情報においても、番組表を階層構造にすることで、ユーザーに意識させることなく、順次番組データを更新することができる。
【図面の簡単な説明】
【図１】この発明の、第１の実施の形態に係るデジタル放送受信装置の構成を示す図。
【図２】この発明の、第２の実施の形態に係るデジタル放送受信機の構成を示す図。
【図３】この発明の、第１の実施の形態に係る番組表を示す図。
【図４】この発明の、第１の実施の形態に係る第２の番組表を示す図。
【図５】この発明の、第１の実施の形態に係るフローチャート。
【符号の説明】
１　…　チューナー
３　…　ＯＦＤＭ復調部
５　…　ＭＰＥＧ復調部
７　…　ＳＩ情報抽出部
８　…　マイコン
９　…　メモリ
１０　…　番組表作成部
１１　…　映像信号処理部
１２　…　ＯＳＤ合成部
１３　…　表示部
【図１】
2004088282.tif 000003
【図２】
2004088282.tif 000004
【図３】
2004088282.tif 000005
【図４】
2004088282.tif 000006
【図５】
2004088282.tif 000007